(57)【要約】    【課題】  全体が小型でかつ広画角、高ズーム比でありながら全ズーム範囲及び物体距離全般にわたり高い光学性能が容易に得られるズームレンズを得ること。    【解決手段】  物体側より像側へ順に配置された、負の屈折力の第１レンズ群、正の屈折力の第２レンズ群、正の屈折力の第３レンズ群、負の屈折力の第４レンズ群を有し、ズーミング及びフォーカシングの少なくとも一方に際して隣り合うレンズ群の間隔が変化し、広角端における全系の焦点距離ｆｗ、望遠端における全系の焦点距離ｆｔ、望遠端における第２レンズ群の最も物体側のレンズ面から像面までの距離Ｄ２ｉＴ、望遠端における第３レンズ群の最も物体側のレンズ面から像面までの距離Ｄ３ｉＴを各々適切に設定すること。【選択図】    図１
2017122793.tif 000002
【特許請求の範囲】
【請求項１】
物体側より像側へ順に配置された、負の屈折力の第１レンズ群、正の屈折力の第２レンズ群、正の屈折力の第３レンズ群、負の屈折力の第４レンズ群を有し、ズーミング及びフォーカシングの少なくとも一方に際して隣り合うレンズ群の間隔が変化し、広角端における全系の焦点距離をｆｗ、望遠端における全系の焦点距離をｆｔとするとき、
３．０＜ｆｔ／ｆｗ
なる条件式を満足するズームレンズであって、
望遠端における前記第２レンズ群の最も物体側のレンズ面から像面までの距離をＤ２ｉＴ、望遠端における前記第３レンズ群の最も物体側のレンズ面から像面までの距離をＤ３ｉＴとするとき、
１．４＜Ｄ２ｉＴ／Ｄ３ｉＴ＜３．０
なる条件式を満足することを特徴とするズームレンズ。
【請求項２】
前記第３レンズ群の焦点距離をｆ３、前記第４レンズ群の焦点距離をｆ４とするとき、
−１．５０＜ｆ３／ｆ４＜−０．７５
なる条件式を満足することを特徴とする請求項１に記載のズームレンズ。
【請求項３】
広角端における全系の焦点距離をｆｗ、望遠端における前記第３レンズ群と前記第４レンズ群の合成焦点距離をｆ３４Ｔとするとき、
ｆｗ／|ｆ３４Ｔ|＜０．１
なる条件式を満足することを特徴とする請求項１又は２に記載のズームレンズ。
【請求項４】
前記ズームレンズは開口絞りを有し、望遠端における前記開口絞りから前記第２レンズ群の最も物体側のレンズ面までの距離の絶対値、及び前記開口絞りから前記第２レンズ群の最も像側のレンズ面までの距離の絶対値のうち小さい方の値をＤ２ｓＴ、前記第２レンズ群の最も物体側のレンズ面から最も像側のレンズ面までの長さをＬＤ２とするとき、
Ｄ２ｓＴ／ＬＤ２＜１．０
なる条件式を満足することを特徴とする請求項１乃至３のいずれか１項に記載のズームレンズ。
【請求項５】
前記第３レンズ群または前記第４レンズ群はフォーカシングに際して移動するフォーカスレンズ群であることを特徴とする請求項１乃至４のいずれか１項に記載のズームレンズ。
【請求項６】
広角端で無限遠にフォーカスしているときにおける前記フォーカスレンズ群の横倍率をβｆＷ、広角端で無限遠にフォーカスしているときにおける前記フォーカスレンズ群より像側に位置する全てのレンズの横倍率をβＲＷ、望遠端で無限遠にフォーカスしているときにおける前記フォーカスレンズ群の横倍率をβｆＴ、望遠端で無限遠にフォーカスしているときにおける前記フォーカスレンズ群より像側に位置する全てのレンズの横倍率をβＲＴとするとき、
０．２５＜｜（１−βｆＷ２）×βＲＷ２｜＜１．００
１．０＜｜（１−βｆＴ２）×βＲＴ２｜＜４．０
なる条件式を満足することを特徴とする請求項５に記載のズームレンズ。
【請求項７】
無限遠にフォーカスしているときの広角端から望遠端へのズーミングにおける前記フォーカスレンズ群の移動量をｍｆ、広角端における全系の焦点距離をｆｗとするとき、
１．０＜｜ｍｆ｜／ｆｗ＜４．０
なる条件式を満足することを特徴とする請求項５又は６に記載のズームレンズ。
【請求項８】
前記第４レンズ群の像側に正の屈折力の第５レンズ群を有することを特徴とする請求項１乃至７のいずれか１項に記載のズームレンズ。
【請求項９】
請求項１乃至８のいずれか１項に記載のズームレンズと、該ズームレンズによって形成される像を受光する撮像素子とを有していることを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ、銀塩フィルム用カメラ等の撮像装置に用いられる撮像光学系に好適なものである。
【背景技術】
【０００２】
撮像装置（カメラ）に用いる撮像光学系には広画角、高ズーム比でズーム範囲全体にわたり、高解像力であり、しかも全系が小型のズームレンズが要望されている。また近年、撮像装置では高画質化を実現するために大きな寸法の撮像素子が用いられている。このため、画面全体にわたり高解像力であるズームレンズが要望されている。
【０００３】
広画角、高ズーム比のズームレンズとして、最も物体側に負の屈折力のレンズ群が配置されたネガティブリード型のズームレンズが知られている。ネガティブリード型のズームレンズとして、物体側から像側へ順に、負、正、正、負の屈折力の第１レンズ群乃至第４レンズ群から成る広画角の４群ズームレンズが知られている（特許文献１）。またネガティブリード型のズームレンズとして、物体側から像側へ順に、負、正、正、負、正の屈折力の第１レンズ群乃至第５レンズ群から成る広画角の５群ズームレンズが知られている（特許文献２）。
【先行技術文献】
【特許文献】
【０００４】
【特許文献１】特開２０１２−１１８４３１号公報
【特許文献２】特開２０１２−４７８１３号公報
【発明の概要】
【発明が解決しようとする課題】
【０００５】
近年、撮像装置に用いるズームレンズには、広画角、高ズーム比でかつレンズ系全体が小型であること、そして全ズーム範囲にわたり高い光学性能を有すること等が要望されている。これらの要望を満足するズームレンズを得るには、ズームタイプ及び各レンズ群のレンズ構成を適切に設定することが重要である。
【０００６】
例えば前述した４群ズームレンズや５群ズームレンズでは、正の屈折力の第３レンズ群の屈折力や負の屈折力の第４レンズ群の屈折力、第２レンズ群と第３レンズ群の光軸上の位置関係などを適切に設定することが重要になってくる。この他、フォーカシングに際しての収差変動が少なく全物体距離にわたり高い光学性能を得るにはフォーカスレンズ群の選定や、レンズ構成等を適切に設定することが重要になってくる。
【０００７】
本発明は、全体が小型でかつ広画角、高ズーム比でありながら全ズーム範囲及び物体距離全般にわたり高い光学性能が容易に得られるズームレンズの提供を目的とする。
【課題を解決するための手段】
【０００８】
本発明のズームレンズは、物体側より像側へ順に配置された、負の屈折力の第１レンズ群、正の屈折力の第２レンズ群、正の屈折力の第３レンズ群、負の屈折力の第４レンズ群を有し、ズーミング及びフォーカシングの少なくとも一方に際して隣り合うレンズ群の間隔が変化し、広角端における全系の焦点距離をｆｗ、望遠端における全系の焦点距離をｆｔとするとき、
３．０＜ｆｔ／ｆｗ
なる条件式を満足するズームレンズであって、
望遠端における前記第２レンズ群の最も物体側のレンズ面から像面までの距離をＤ２ｉＴ、望遠端における前記第３レンズ群の最も物体側のレンズ面から像面までの距離をＤ３ｉＴとするとき、
１．４＜Ｄ２ｉＴ／Ｄ３ｉＴ＜３．０
なる条件式を満足することを特徴としている。
【発明の効果】
【０００９】
本発明によれば、全体が小型でかつ広画角、高ズーム比でありながら全ズーム範囲及び物体距離全般にわたり高い光学性能が容易に得られるズームレンズが得られる。
【図面の簡単な説明】
【００１０】
【図１】実施例１のズームレンズの光学断面図
【図２】（Ａ），（Ｂ），（Ｃ）  実施例１のズームレンズの広角端，中間のズーム位置，望遠端の収差図
【図３】実施例２のズームレンズの光学断面図
【図４】（Ａ），（Ｂ），（Ｃ）  実施例２のズームレンズの広角端，中間のズーム位置，望遠端の収差図
【図５】実施例３のズームレンズの光学断面図
【図６】（Ａ），（Ｂ），（Ｃ）  実施例３のズームレンズの広角端，中間のズーム位置，望遠端の収差図
【図７】実施例４のズームレンズの光学断面図
【図８】（Ａ），（Ｂ），（Ｃ）  実施例４のズームレンズの広角端，中間のズーム位置，望遠端の収差図
【図９】実施例５のズームレンズの光学断面図
【図１０】（Ａ），（Ｂ），（Ｃ）  実施例５のズームレンズの広角端，中間のズーム位置，望遠端の収差図
【図１１】実施例６のズームレンズの光学断面図
【図１２】（Ａ），（Ｂ），（Ｃ）  実施例６のズームレンズの広角端，中間のズーム位置，望遠端の収差図
【図１３】実施例７のズームレンズの光学断面図
【図１４】（Ａ），（Ｂ），（Ｃ）  実施例７のズームレンズの広角端，中間のズーム位置，望遠端の収差図
【図１５】実施例８のズームレンズの光学断面図
【図１６】（Ａ），（Ｂ），（Ｃ）  実施例８のズームレンズの広角端，中間のズーム位置，望遠端の収差図
【図１７】本発明の撮像装置の概略図
【発明を実施するための形態】
【００１１】
以下に本発明の好ましい実施の形態を添付の図面に基づいて詳細に説明する。本発明のズームレンズは、物体側より像側へ順に配置された、負の屈折力の第１レンズ群、正の屈折力の第２レンズ群、正の屈折力の第３レンズ群、負の屈折力の第４レンズ群を有する。そして、ズーミング及びフォーカシングの少なくとも一方に際して隣り合うレンズ群の間隔が変化する。
【００１２】
図１は本発明のズームレンズの実施例１の広角端（短焦点距離端）におけるレンズ断面図である。図２（Ａ），（Ｂ），（Ｃ）は実施例１のズームレンズの無限遠物体にフォーカスを合わせたとき（合焦したとき）の広角端，中間のズーム位置，望遠端（長焦点距離端）における縦収差図である。実施例１はズーム比４．１３、Ｆナンバー１．８５〜５．０５のズームレンズである。
【００１３】
図３は本発明のズームレンズの実施例２の広角端におけるレンズ断面図である。図４（Ａ），（Ｂ），（Ｃ）は実施例２のズームレンズにおいて無限遠物体にフォーカスを合わせたときの広角端，中間のズーム位置，望遠端における縦収差図である。実施例２はズーム比４．１５、Ｆナンバー１．８５〜５．０５のズームレンズである。
【００１４】
図５は本発明のズームレンズの実施例３の広角端におけるレンズ断面図である。図６（Ａ），（Ｂ），（Ｃ）は実施例３のズームレンズにおいて無限遠物体にフォーカスを合わせたときの広角端，中間のズーム位置，望遠端における縦収差図である。実施例３はズーム比４．１４、Ｆナンバー１．８５〜５．０５のズームレンズである。
【００１５】
図７は本発明のズームレンズの実施例４の広角端におけるレンズ断面図である。図８（Ａ），（Ｂ），（Ｃ）は実施例４のズームレンズにおいて無限遠物体にフォーカスを合わせたときの広角端，中間のズーム位置，望遠端における縦収差図である。実施例４はズーム比４．１５、Ｆナンバー１．８５〜５．０５のズームレンズである。
【００１６】
図９は本発明のズームレンズの実施例５の広角端におけるレンズ断面図である。図１０（Ａ），（Ｂ），（Ｃ）は実施例５のズームレンズにおいて無限遠物体にフォーカスを合わせたときの広角端，中間のズーム位置，望遠端における縦収差図である。実施例５はズーム比４．１２、Ｆナンバー１．８５〜５．０５のズームレンズである。
【００１７】
図１１は本発明のズームレンズの実施例６の広角端におけるレンズ断面図である。図１２（Ａ），（Ｂ），（Ｃ）は実施例６のズームレンズにおいて無限遠物体にフォーカスを合わせたときの広角端，中間のズーム位置，望遠端における縦収差図である。実施例６はズーム比４．１３、Ｆナンバー１．８５〜５．０５のズームレンズである。
【００１８】
図１３は本発明のズームレンズの実施例７の広角端におけるレンズ断面図である。図１４（Ａ），（Ｂ），（Ｃ）は実施例７のズームレンズにおいて無限遠物体にフォーカスを合わせたときの広角端，中間のズーム位置，望遠端における縦収差図である。実施例７はズーム比４．１３、Ｆナンバー１．８５〜５．０５のズームレンズである。
【００１９】
図１５は本発明のズームレンズの実施例８の広角端におけるレンズ断面図である。図１６（Ａ），（Ｂ），（Ｃ）は実施例８のズームレンズにおいて無限遠物体にフォーカスを合わせたときの広角端、中間のズーム位置、望遠端における縦収差図である。実施例８はズーム比４．１４、Ｆナンバー１．８５〜５．０５のズームレンズである。図１７は本発明の撮像装置の要部概略図である。
【００２０】
各実施例のズームレンズはビデオカメラやデジタルカメラ、そして銀塩フィルムカメラ等の撮像装置に用いられる撮像光学系（光学系）である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図において、ＯＬはズームレンズである。ｉは物体側からのレンズ群の順番を示し、Ｂｉは第ｉレンズ群である。
【００２１】
ＳＰは開口絞り（開放Ｆナンバー絞り）である。ＦＰはフレアーカット絞りである。ＧＢは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が位置する。銀塩フィルム用カメラのときはフィルム面が位置する。矢印は広角端から望遠端へのズーミングに際してのレンズ群の移動方向を示している。
【００２２】
点線で示した矢印は近距離にフォーカスしているときの広角端から望遠端へのズーミングに際しての移動軌跡を示している。尚、以下の各実施例において広角端と望遠端は変倍用レンズ群が機構上、光軸上移動可能な範囲の両端に位置したときのズーム位置をいう。収差図のうち球面収差において、実線のｄはｄ線（５８７．６ｎｍ）、二点鎖線のｇはｇ線（４３５．８ｎｍ）を表している。
【００２３】
また、非点収差を示す図において、実線のＳはｄ線のサジタル方向、破線のＭはｄ線のメリディオナル方向を表している。また、歪曲を示す図は、ｄ線における歪曲を表している。倍率色収差図において２点鎖線のｇはｄ線に対する倍率色収差を示している。ＦｎｏはＦナンバー、ωは撮影画角の半画角（度）である。
【００２４】
本発明のズームレンズは、物体側より像側へ順に、負の屈折力の第１レンズ群Ｂ１、正の屈折力の第２レンズ群Ｂ２、正の屈折力の第３レンズ群Ｂ３、負の屈折力の第４レンズ群Ｂ４を有する。広角端から望遠端へのズーミングに際しての各レンズ群の間隔変化は次のとおりである。広角端に比べて望遠端において第１レンズ群Ｂ１と第２レンズ群Ｂ２の間隔が狭まり、第２レンズ群Ｂ２と第３レンズ群Ｂ３の間隔が広がり、第３レンズ群Ｂ３と第４レンズ群Ｂ４の間隔が変化する。
【００２５】
ここで、本発明のズームレンズにおけるレンズ群の定義は、ズーミング、フォーカシング、防振等の少なくとも１つで移動する最小構成のレンズ集合体を１つのレンズ群と定義する。
【００２６】
各実施例のズームレンズは、広角端における全系の焦点距離をｆｗ、望遠端における全系の焦点距離をｆｔとするとき、
３．０＜ｆｔ／ｆｗ
なる条件式を満足する。
【００２７】
そして望遠端における第２レンズ群Ｂ２の最も物体側のレンズ面から像面までの距離をＤ２ｉＴ、望遠端における第３レンズ群Ｂ３の最も物体側のレンズ面から像面までの距離をＤ３ｉＴとする。このとき、
１．４＜Ｄ２ｉＴ／Ｄ３ｉＴ＜３．０
なる条件式を満足する。
【００２８】
ここで距離Ｄ２ｉＴ、距離Ｄ３ｉＴは最終レンズ面から像面までの間にフェースプレートがフィルター等の光学部材が配置されているときは光学部材の長さを空気換算した値を用いる。
【００２９】
次に前述の条件式の技術的意味について説明する。各実施例では第３レンズ群Ｂ３又は第４レンズ群Ｂ５をフォーカシングレンズ群としている。近年、小型化を図るために歪曲収差を大きく出し、発生した歪曲を画像処理で電子的に補正することが行われてきている。歪曲収差を大きく出すと近距撮影時の像面湾曲がアンダー側に大きくなることが収差論的に導かれている。この影響は至近撮影距離が短縮されると特に顕著に現れる。
【００３０】
上記のように、広角端において開口絞りから比較的離れた位置に、正の屈折力をもつ空気レンズを配置することで、上記の像面湾曲を補正して、近距離撮影時の光学性能を向上させている。
【００３１】
このように正の屈折力の空気レンズよりも物体側のレンズ群をフォーカスレンズ群とすることで、近距離撮影時の光学性能を改善している。このタイプのズームレンズでは、広角端から望遠端にかけて第３レンズ群Ｂ３及び第４レンズ群Ｂ４が物体側に移動することで、ズーム全域のコマ収差を良好に補正している。また、第３レンズ群Ｂ３、第４レンズ群Ｂ４が開口絞りＳＰに近づくためレンズの有効径が小さくなり、所定のレンズコバを確保してもレンズの厚みを薄く抑えられるという特徴もある。
【００３２】
しかし、望遠端において第２レンズ群Ｂ２と第３レンズ群Ｂ３が近づきすぎると第３レンズ群Ｂ３が偏芯したときにコマ収差が大きく発生し、製造時の偏芯精度を高くする必要が生じてしまう。これは鏡筒全体の製造が困難になる。これを回避するためには、第３レンズ群Ｂ３を第２レンズ群Ｂ２から遠ざける必要があるが、上記の収差補正効果、全系の小型化の効果と逆行してしまう。このため、第３レンズ群Ｂ３の光軸方向の位置のバランスが重要となる。
【００３３】
そこで各実施例は、条件式（１）を満足するように第２レンズ群Ｂ２と第３レンズ群Ｂ３の光軸上の位置を設定している。条件式（１）は望遠端における第３レンズ群Ｂ３の光軸上の適切な位置を規定したものである。条件式（１）の下限を超えて望遠端において第３レンズ群Ｂ３が第２レンズ群Ｂ２に近づきすぎると、レンズ群が偏芯した際にコマ収差が大きく発生し、光学性能が低下してくる。あるいはこれを回避するためには偏芯精度を高めなければならなくなり、製造が困難になる。
【００３４】
条件式（１）の上限を超えて第３レンズ群Ｂ３が第２レンズ群Ｂ２から離れすぎると、ズーム全域にわたりコマ収差の補正が困難となる。また、第２レンズ群Ｂ２の近傍には開口絞りＳＰが配置されており、開口絞りＳＰからの距離が離れると、周辺画角光線の入射高さが高くなり、レンズの有効径が大きくなる。このため、必要なレンズのコバを確保するのにレンズの厚みが厚くなり、光学系が大型化してくる。
【００３５】
以上のように本発明では、至近の光学性能を良好に維持するためにインナーフォーカス方式を採用する。そして条件式（１）を満足するように第３レンズ群Ｂ３の光軸上の位置を適切に配置することで、高い光学性能を有しつつ、製造敏感度が低く、作りやすいズームレンズを得ている。尚、より好ましくは条件式（１）の数値範囲を次のごとく設定するのが良い。
１．４４＜Ｄ２ｉＴ／Ｄ３ｉＴ＜２．７０    ・・・（１ａ）
【００３６】
各実施例において更に好ましくは次の条件式のうち１つ以上を満足するのが良い。第３レンズ群Ｂ３の焦点距離をｆ３、第４レンズ群Ｂ４の焦点距離をｆ４とする。広角端における全系の焦点距離をｆｗ、望遠端における第３レンズ群Ｂ３と第４レンズ群Ｂ４の合成焦点距離をｆ３４Ｔとする。
【００３７】
ズームレンズは開口絞りＳＰを有する。望遠端における開口絞りＳＰから第２レンズ群Ｂ２の最も物体側のレンズ面までの距離の絶対値及び開口絞りＢＰから第２レンズ群Ｂ２の最も像側のレンズ面までの距離の絶対値のうち小さい方の値をＤ２ｓＴとする。第２レンズ群Ｂ２の最も物体側のレンズ面から最も像側のレンズ面までの長さをＬＤ２とする。但し、最も像側のレンズ面から像面までの間に平行平板等の光学部材が配置されているときは光学部材の厚さは空気換算した値とする。
【００３８】
第３レンズ群Ｂ３または第４レンズ群Ｂ４はフォーカシングに際して移動するフォーカスレンズ群である。このとき広角端で無限遠にフォーカスしているときにおけるフォーカスレンズ群の横倍率をβｆＷ、広角端で無限遠にフォーカスしているときにおけるフォーカスレンズ群より像側に位置する全てのレンズの横倍率をβＲＷとする。望遠端で無限遠にフォーカスしているときにおけるフォーカスレンズ群の横倍率をβｆＴ、望遠端で無限遠にフォーカスしているときにおけるフォーカスレンズ群より像側に位置する全てのレンズの横倍率をβＲＴとする。
【００３９】
無限遠にフォーカスしているときの広角端から望遠端へのズーミングにおけるフォーカスレンズ群の移動量をｍｆとする。このとき、
−１．５０＜ｆ３／ｆ４＜−０．７５                ・・・（２）
ｆｗ／|ｆ３４Ｔ|＜０．１                          ・・・（３）
Ｄ２ｓＴ／ＬＤ２＜１．０                          ・・・（４）
０．２５＜｜（１−βｆＷ２）×βＲＷ２｜＜１．００  ・・・（５）
１．０＜｜（１−βｆＴ２）×βＲＴ２｜＜４．０      ・・・（６）
１．０＜｜ｍｆ｜／ｆｗ＜４．０                    ・・・（７）
【００４０】
次に前述の各条件式の技術的意味について説明する。条件式（２）は第３レンズ群Ｂ３と第４レンズ群Ｂ４の屈折力の比を規定したものである。第３レンズ群Ｂ３と第４レンズ群Ｂ４の屈折力の比が条件式の範囲からはすれると、２つのレンズ群の合成焦点距離の絶対値が小さくなる（合成屈折力が正又は負の方向に大きくなる）。このためレンズ群が偏芯したときの光学性能が低下し、これを軽減しようとすると、製造が困難となる。
【００４１】
条件式（２）の下限を超えて第３レンズ群Ｂ３の正の屈折力に対して第４レンズ群Ｂ４の負の屈折力が強くなりすぎると（負の屈折力の絶対値が大きくなりすぎると）、第３レンズ群Ｂ３と、第４レンズ群Ｂ４のトータルで見たときの屈折力が負側に大きくなる。そうすると、レンズ群が偏芯したときの光学性能に与える影響が大きくなり、製造が困難となる。
【００４２】
条件式（２）の上限を超えて、第４レンズ群Ｂ４の負の屈折力に対して第３レンズ群Ｂ３の正の屈折力が強くなりすぎると（正の屈折力の絶対値が大きくなると）、第３レンズ群Ｂ３と、第４レンズ群Ｂ４のトータルで見たときの屈折力が正側に大きくなる。そうすると、レンズ群が偏芯したときの光学性能に与える影響が大きくなり、製造が困難となる。
【００４３】
条件式（３）は望遠端における第３レンズ群Ｂ３と第４レンズ群Ｂ４の合成焦点距離を広角端における全系の焦点距離で規格化したものである。条件式（３）の上限を超えて第３レンズ群Ｂ３と第４レンズ群Ｂ４の合成屈折力が強くなりすぎると、レンズ群が偏芯したときの光学性能に与える影響が大きくなり、製造が困難となる。
【００４４】
条件式（４）は望遠端における開口絞りＳＰの光軸上の位置を規定したものである。条件式（４）の上限を超えて開口絞りＳＰが第２レンズ群Ｂ２から離れて、物体側に離れすぎると第１レンズ群Ｂ１から第２レンズ群Ｂ２の間隔を広げることになり、所定のズーム比を得るのが困難になる。また、像側に離れすぎると、第３レンズ群Ｂ３と開口絞りＳＰが近づいて、レンズ群の偏芯時のコマ敏感度が高くなるので良くない。また、前玉（第１レンズ群Ｂ１）から開口絞りＳＰが遠くなり、前玉有効径が増大してくる。
【００４５】
条件式（５）、（６）は広角端と、望遠端におけるフォーカスレンズ群のフォーカス敏感度を規定したものである。条件式（５）、（６）の下限を超えるとフォーカス敏感度が小さくなりすぎるため、フォーカシングに際してフォーカスレンズ群の移動量が長くなり光学性能が低下するとともに、移動量が長くなるために、大きなフォーカススペースが必要となる。そうすると全系が大型化してくる。条件式（５）、（６）の上限を超えるとフォーカス敏感度が大きくなりすぎるため、フォーカスレンズ群の駆動制御が難しくなるので良くない。
【００４６】
条件式（７）はフォーカスレンズ群の移動量を広角端における全系の焦点距離で規格化したものである。条件式（７）の下限を超えてフォーカスレンズ群の移動量が小さくなりすぎると、望遠端におけるフォーカス敏感度が小さくなりすぎる。そうすると、フォーカスレンズ群の移動量が大きくなり光学性能が低下するとともに、移動量が大きくなるために、大きなフォーカススペースが必要となり、全系が大型化してしまう。
【００４７】
条件式（７）の上限を超えてフォーカスレンズ群の移動量が大きくなりすぎると、望遠端におけるフォーカス敏感度が大きくなりすぎる。そうすると、フォーカスレンズ群の駆動制御が難しくなるので良くない。また、フォーカスレンズ群が開口絞りＳＰに近づくため、レンズ群が偏芯したときにコマ収差が大きく発生し、製造が困難となる。
【００４８】
尚、更に好ましくは、条件式（２）乃至条件式（７）の数値範囲を次のごとく設定するのが良い。
−１．４８＜ｆ３／ｆ４＜−０．８０                ・・・（２ａ）
ｆｗ／|ｆ３４Ｔ|＜０．０９５                      ・・・（３ａ）
Ｄ２ｓＴ／ＬＤ２＜０．８                          ・・・（４ａ）
０．３０＜｜（１−βｆＷ２）×βＲＷ２｜＜０．８５  ・・・（５ａ）
１．１５＜｜（１−βｆＴ２）×βＲＴ２｜＜３．９０  ・・・（６ａ）
１．１＜｜ｍｆ｜／ｆｗ＜３．０                    ・・・（７ａ）
【００４９】
次に実施例１乃至７のズームレンズについて説明する。実施例１乃至７のズームレンズのレンズ断面図においてＢ１は負の屈折力の第１レンズ群、Ｂ２は正の屈折力の第２レンズ群、Ｂ３は正の屈折力の第３レンズ群、Ｂ４は負の屈折力の第４レンズ群である。Ｂ５は正の屈折力の第５レンズ群である。ズーミング及びフォーカシングに際して隣り合うレンズ群の間隔が変化する。
【００５０】
実施例１のズームレンズについて説明する。実施例１のズームレンズでは、広角端から望遠端へのズーミングに際して、矢印の如く第１レンズ群Ｂ１は像側へ凸状の軌跡で移動し、第２レンズ群Ｂ２は物体側へ移動する。第３レンズ群Ｂ３と第４レンズ群Ｂ４は一体的に（同じ移動軌跡で）物体側へ移動する。第５レンズ群Ｂ５は不動である。
【００５１】
ズーミングに際し、最も像側の第５レンズ群Ｂ５を不動とすることで鏡筒構造を簡略化している。開口絞りＳＰは第２レンズ群Ｂ２の物体側に位置している。開口絞りＳＰはズーミングに際して第２レンズ群Ｂ２と一体的に移動する。これにより鏡筒構造を簡略化している。フレアーカット絞りＦＰは第２レンズ群Ｂ２の像側に配置されズーミングに際して、他のレンズ群とは独立に（異なった軌跡で）移動する。無限遠から近距離へのフォーカシングは第３レンズ群Ｂ３を物体側へ移動して行っている。
【００５２】
第３レンズ群Ｂ３に関する点線の矢印は近距離にフォーカスしているときの第３レンズ群Ｂ３の広角端から望遠端へのズーミングにおける移動軌跡である。
【００５３】
本実施例では第４レンズ群Ｂ４と第５レンズ群Ｂ５との間に正の空気レンズを形成し、この空気レンズよりも物体側のレンズ群をフォーカスレンズ群としている。これにより広角端から望遠端にかけてのフォーカス敏感度を高くしてフォーカシングに際しての移動量が少なくなるようにして全系の小型化を図っている。またフォーカスレンズ群を１枚のレンズより構成し、軽量化し、高速なフォーカスを容易にしている。像ぶれ補正に際しては、第２レンズ群Ｂ２を光軸に対して垂直方向の成分を持つ方向に移動させている。このときの移動方式はシフト移動でも回動移動でも良い。
【００５４】
第１レンズ群Ｂ１を１つの負レンズと１つの正レンズより構成している。第１レンズ群Ｂ１は１以上の非球面を有しており、これにより広角端において歪曲収差と像面湾曲を補正している。第２レンズ群Ｂ２を物体側から像側へ順に正レンズ、正レンズと負レンズを接合した接合レンズより構成している。
【００５５】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００５６】
負レンズをメニスカス形状とすることで防振時およびズーミングに伴う中間のズーム位置においてコマ収差を良好に補正している。また、第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズおよび１つの負レンズにより構成している。第４レンズ群Ｂ４は１つの負レンズで構成している。第５レンズ群Ｂ５は１つの正レンズで構成している。
【００５７】
実施例２のズームレンズについて説明する。実施例２のズームレンズでは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。第５レンズ群Ｂ５は像側へ凸状の軌跡で移動する。
【００５８】
開口絞りＳＰは第２レンズ群Ｂ２の物体側に位置している。開口絞りＳＰはズーミングに際して他のレンズ群と独立に移動する。フレアーカット絞りＦＰは第２レンズ群Ｂ２の像側に配置されズーミングに際して、第２レンズ群Ｂ２と一体的に移動する。フォーカシングに関しては実施例１と同じである。像ぶれ補正に関しては実施例１と同じである。
【００５９】
第１レンズ群Ｂ１を１つの負レンズと１つの正レンズより構成している。第１レンズ群Ｂ１は１以上の非球面を有しており、これにより広角端において歪曲収差と像面湾曲を補正している。第２レンズ群Ｂ２を物体側から像側へ順に正レンズ、正レンズと負レンズを接合した接合レンズより構成している。
【００６０】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００６１】
また、第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズより構成している。第４レンズ群Ｂ４は１つの負レンズで構成している。第５レンズ群Ｂ５は１つの正レンズで構成している。
【００６２】
実施例３のズームレンズについて説明する。実施例３のズームレンズでは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。第５レンズ群Ｂ５は不動である。
【００６３】
ズーミングに際し、最も像側の第５レンズ群Ｂ５を不動とすることで鏡筒構造を簡略化している。開口絞りＳＰは第２レンズ群Ｂ２の物体側に位置している。開口絞りＳＰはズーミングに際して他のレンズ群と独立に移動する。フレアーカット絞りＦＰは第２レンズ群Ｂ２の像側に配置されズーミングに際して、第２レンズ群Ｂ２と一体的に移動する。フォーカシングに関しては実施例１と同じである。像ぶれ補正に関しては実施例１と同じである。第１レンズ群Ｂ１乃至第５レンズ群Ｂ５のレンズ構成は実施例１と同じである。
【００６４】
実施例４のズームレンズについて説明する。実施例４のズームレンズでは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。第５レンズ群Ｂ５は像側へ移動する。
【００６５】
開口絞りＳＰは第２レンズ群Ｂ２の物体側に位置している。フレアーカット絞りＦＰは第２レンズ群Ｂ２の像側に位置している。開口絞りＳＰとフレアーカット絞りＦＰはズーミングに際して第２レンズ群Ｂ２と一体的に移動する。これにより鏡筒構造を簡略化している。フォーカシングに関しては実施例１と同じである。像ぶれ補正に関しては実施例１と同じである。第１レンズ群Ｂ１を２つの負レンズと１つの正レンズより構成している。第２レンズ群Ｂ２を物体側から像側へ順に正レンズ、正レンズと負レンズを接合した接合レンズより構成している。
【００６６】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００６７】
また、第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズにより構成している。第４レンズ群Ｂ４は１つの負レンズで構成している。第５レンズ群Ｂ５は１つの正レンズで構成している。
【００６８】
実施例５のズームレンズについて説明する。実施例５のズームレンズでは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。第５レンズ群Ｂ５は物体側に凸状の軌跡で移動する。
【００６９】
開口絞りＳＰは第２レンズ群Ｂ２の物体側に位置している。開口絞りＳＰはズーミングに際して第２レンズ群Ｂ２と一体的に移動する。これにより鏡筒構造を簡略化している。フレアーカット絞りＦＰは第２レンズ群Ｂ２の像側に配置されズーミングに際して、他のレンズ群とは独立に（異なった軌跡で）移動する。無限遠から近距離へのフォーカシングは第４レンズ群Ｂ４を像側へ移動して行っている。第４レンズ群Ｂ４に関する点線の矢印は近距離にフォーカスしているときの第４レンズ群Ｂ４の広角端から望遠端へのズーミングにおける移動軌跡である。
【００７０】
本実施例では第４レンズ群Ｂ４と第５レンズ群Ｂ５との間に正の空気レンズを形成し、この空気レンズよりも物体側のレンズ群をフォーカスレンズ群としている。これにより広角端から望遠端にかけてのフォーカス敏感度を高くしてフォーカシングに際しての移動量が少なくなるようにして全系の小型化を図っている。またフォーカスレンズ群を１枚のレンズより構成し、軽量化し、高速なフォーカスを容易にしている。像ぶれ補正に関しては実施例１と同じである。
【００７１】
第１レンズ群Ｂ１を１つの負レンズと１つの正レンズより構成している。第１レンズ群Ｂ１は１以上の非球面を有しており、これにより広角端において歪曲収差と像面湾曲を補正している。第２レンズ群Ｂ２を物体側から像側へ順に正レンズ、正レンズと負レンズを接合した接合レンズより構成している。
【００７２】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００７３】
第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズにより構成している。第４レンズ群Ｂ４は１つの負レンズで構成している。第５レンズ群Ｂ５は１つの正レンズで構成している。
【００７４】
実施例６のズームレンズについて説明する。実施例６のズームレンズでは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。第５レンズ群Ｂ５は不動である。
【００７５】
ズーミングに際し、最も像側の第５レンズ群Ｂ５を不動とすることで鏡筒構造を簡略化している。開口絞りＳＰは第２レンズ群Ｂ２の物体側に位置している。フレアーカット絞りＦＰは第２レンズ群Ｂ２の像側に配置している。開口絞りＳＰとフレアーカット絞りＦＰはズーミングに際して第２レンズ群Ｂ２と一体的に移動する。これにより鏡筒構造を簡略化している。フォーカシングに関しては実施例１と同じである。像ぶれ補正に関しては実施例１と同じである。
【００７６】
第１レンズ群Ｂ１を１つの負レンズと１つの正レンズより構成している。第１レンズ群Ｂ１は１以上の非球面を有しており、これにより広角端において歪曲収差と像面湾曲を補正している。第２レンズ群Ｂ２を物体側から像側へ順に正レンズ、正レンズと負レンズを接合した接合レンズより構成している。
【００７７】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００７８】
また、第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズにより構成している。第４レンズ群Ｂ４は１つの負レンズで構成している。第５レンズ群Ｂ５は１つの正レンズで構成している。
【００７９】
実施例７のズームレンズについて説明する。実施例７のズームレンズでは、広角端から望遠端へのズーミングに際して、矢印の如く第１レンズ群Ｂ１は像側へ凸状の軌跡で移動し、第２レンズ群Ｂ２は物体側へ移動する。第３レンズ群Ｂ３と第４レンズ群Ｂ４は一体的に（同じ移動軌跡で）物体側へ移動する。第５レンズ群Ｂ５は不動である。
【００８０】
ズーミングに際し、最も像側の第５レンズ群Ｂ５を不動とすることで鏡筒構造を簡略化している。開口絞りＳＰは第２レンズ群Ｂ２の像側に位置している。開口絞りＳＰはズーミングに際して第２レンズ群Ｂ２と一体的に移動する。これにより鏡筒構造を簡略化している。フォーカシングに関しては実施例１と同じである。像ぶれ補正に関しては実施例１と同じである。第１レンズ群Ｂ１乃至第５レンズ群Ｂ５のレンズ構成は実施例１と同じである。
【００８１】
実施例８のズームレンズについて説明する。レンズ断面図においてＢ１は負の屈折力の第１レンズ群、Ｂ２は正の屈折力の第２レンズ群、Ｂ３は正の屈折力の第３レンズ群、Ｂ４は負の屈折力の第４レンズ群である。ズーミング及びフォーカシングに際して隣り合うレンズ群の間隔が変化する。
【００８２】
実施例８のズームレンズは、広角端から望遠端へのズーミングに際して、矢印の如く第１レンズ群Ｂ１は像側へ凸状の軌跡で移動し、第２レンズ群Ｂ２と第３レンズ群Ｂ３と第４レンズ群Ｂ４は互いに独立に物体側へ移動する。開口絞りＳＰは第２レンズ群Ｂ２の物体側に位置している。開口絞りＳＰはズーミングに際して他のレンズ群と独立に移動する。無限遠から近距離へのフォーカシングは第３レンズ群Ｂ３を物体側へ移動して行っている。像ぶれ補正に関しては実施例１と同じである。
【００８３】
第１レンズ群Ｂ１を１つの負レンズと１つの正レンズより構成している。第１レンズ群Ｂ１は１以上の非球面を有しており、これにより広角端において歪曲収差と像面湾曲を補正している。第２レンズ群Ｂ２を物体側から像側へ順に正レンズ、正レンズと負レンズを接合した接合レンズ、正レンズより構成している。
【００８４】
負レンズを接合して接合レンズとすることで、正レンズの屈折力を分散することで、各レンズにおける製造敏感度を低減させるとともにコマ収差の補正を良好に行っている。さらに、正レンズを先行させることにより、第２レンズ群Ｂ２の主点位置を物体側に配置することが容易となり、望遠端における第１レンズ群Ｂ１と、第２レンズ群Ｂ２との間隔を小さくすることができるため、変倍に有利となる。
【００８５】
また、第２レンズ群Ｂ２は１以上の非球面を有している。具体的には第２レンズ群Ｂ２の最も物体側のレンズの少なくとも１つのレンズ面を非球面形状としている。これによってズーミングに伴う球面収差の変動を良好に補正している。第３レンズ群Ｂ３は１つの正レンズより構成している。第４レンズ群Ｂ４は１つの負レンズで構成している。
【００８６】
次に各実施例に示したズームレンズを撮影光学系として用いたデジタルスチルカメラの実施形態を図１７を用いて説明する。
【００８７】
図１７において２０はカメラ本体、２１は実施例１乃至７で説明したいずれかのズームレンズによって形成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００８８】
このように本発明のズームレンズをデジタルスチルカメラ等の撮像装置に適用することにより、小型で高い光学性能を持った撮像装置を実現できる。
【００８９】
各実施例のズームレンズはクイックリターンミラーのある一眼レフカメラやクイックリターンミラーのないミラーレスの一眼レフカメラにも同様に適用できる。
【００９０】
以下、実施例１乃至８に対応するズームレンズの具体的な数値データを示す。ｉは物体から数えた順序を示す。面番号ｉは物体側から順に数えている。ｒｉは曲率半径、ｄｉは第ｉ番目と第ｉ＋１番目の面間隔である。ｎｄｉとνｄｉはそれぞれｄ線に対する第ｉ面と第（ｉ＋１）面との間の媒質の屈折率、アッベ数を表す。
【００９１】
数値データにおいて最後の２つの面はフィルター、フェースプレート等の光学ブロックの面である。数値データ２、３、５、８において間隔ｄ５の符号が負となっているのは物体側から像側へ順に開口絞りＳＰ、第３レンズ群Ｌ３として数えたためである。またＢＦはバックフォーカスであり、最終レンズ面から像面までの空気換算長である。レンズ全長は第１レンズ面から最終レンズ面までの距離にバックフォーカスを加えた値である。
【００９２】
非球面は面番号の後に、＊の符号を付加して表している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０を各次数の非球面係数とするとき、
ｘ＝（ｈ2／Ｒ）／［１＋｛１−（１＋ｋ）（ｈ／Ｒ）2｝1/2 ＋Ａ４・ｈ4＋Ａ６・ｈ6＋Ａ８・ｈ8＋Ａ１０・ｈ10
で表す。なお、各非球面係数における「Ｅ±ＸＸ」は「×１０±ＸＸ」を意味している。前述の各条件式に関係した数値を表１に示す。 
【００９３】
(数値データ１)
面データ
面番号       r        d      nd         νd       有効径
1*       -49.890    1.20   1.85135    40.1       23.60
2*        14.483    4.50                         20.70
3         34.566    2.28   1.94595    18.0       21.20
4        221.131  (可変)                         21.00
5(絞り)(SP)∞       0.00                         12.61
6*        11.778    3.19   1.76802    49.2       13.10
7*      -135.194    0.15                         12.60
8         11.418    2.79   1.69680    55.5       11.30
9        487.139    0.50   1.76182    26.5       10.20
10          6.768  (可変)                          8.50
11(FP)      ∞     (可変)                          7.86
12         29.486    2.61   1.49700    81.5       11.40
13        -19.440    2.73                         11.70
14*        -8.767    0.50   1.58313    59.4       11.70
15*       -32.696  (可変)                         12.50
16*        20.296    3.32   1.85135    40.1       18.90
17       -537.100    1.32                         18.60
18          ∞       1.30   1.51633    64.1           
19          ∞       1.00                             
像面        ∞
【００９４】
非球面データ
第1面
K = 0.00000e+000  A 4= 5.75201e-006  A 6=-2.40096e-008  
第2面
K =-1.10273e+000  A 4=-6.96623e-006  A 6= 9.58160e-009  A 8=-6.09725e-010  A10= 1.51227e-012  
第6面
K = 0.00000e+000  A 4=-4.80574e-005  A 6=-2.76120e-007  A 8= 5.31768e-010  A10=-3.53547e-011  
第7面
K = 0.00000e+000  A 4= 3.06171e-005  A 6=-1.28422e-007  
第14面
K =-2.03486e-001  A 4= 2.65573e-004  A 6= 1.61785e-006  A 8=-1.07146e-008  A10= 3.90896e-010  
第15面
K = 0.00000e+000  A 4= 1.08982e-004  A 6= 3.70393e-007  A10= 5.96019e-011  
第16面
K =-5.23679e+000  A 4= 4.68378e-005  A 6= 4.41110e-008  A 8= 2.47463e-010  
【００９５】
各種データ
ズーム比     4.13 
広角     中間     望遠
焦点距離       9.16    19.85    37.82  
Fナンバー      1.85     3.60     5.05  
半画角（度）  35.93    21.95    11.94  
像高           6.64     8.00     8.00  
レンズ全長    61.60    55.92    68.36  
BF             3.18     3.18     3.18  
d 4           24.90     8.08     1.22  
d10            3.11     5.57     9.65  
d11            6.15     7.35    11.58  
d15            0.50     7.97    18.96  
【００９６】
(数値データ２)
面データ
面番号       r        d      nd         νd       有効径
1*       -73.265    1.20   1.85135    40.1       24.10
2*        13.870    5.00                         20.40
3         27.406    2.15   1.95906    17.5       20.80
4         68.739  (可変)                         20.50
5(絞り)(SP)∞     (可変)                         12.35
6*        11.981    3.28   1.76802    49.2       13.40
7*       -60.597    0.15                         13.00
8         10.082    3.33   1.49700    81.5       11.10
9        -23.138    1.00   1.69895    30.1       10.00
10          6.251    3.61                          7.70
11(FP)      ∞     (可変)                          7.02
12         29.851    2.82   1.49700    81.5       11.20
13        -17.225  (可変)                         11.70
14*       -12.706    0.60   1.55332    71.7       12.00
15*      -460.798  (可変)                         12.70
16         24.760    2.83   1.95375    32.3       18.40
17       -341.405  (可変)                         18.20
18          ∞       1.30   1.51633    64.1       25.00
19          ∞       1.00                         25.00
像面        ∞
【００９７】
非球面データ
第1面
K = 0.00000e+000  A 4= 2.61121e-006  A 6=-2.68257e-009  
第2面
K =-6.41935e-001  A 4=-9.07760e-006  A 6= 4.08920e-008  A 8=-5.14246e-010  A10= 2.55148e-012  
第6面
K = 0.00000e+000  A 4=-3.30521e-005  A 6=-7.19347e-008  A 8=-4.88208e-010  A10= 2.82581e-013  
第7面
K = 0.00000e+000  A 4= 3.25520e-005  A 6=-2.12819e-008  
第14面
K =-6.00076e-001  A 4= 9.79032e-005  A 6= 1.36323e-006  A 8= 7.31016e-009  A10=-3.07548e-011  
第15面
K = 0.00000e+000  A 4= 9.87606e-005  A 6= 8.48378e-007  
【００９８】
各種データ
ズーム比     4.15 
広角     中間     望遠
焦点距離       9.05    20.00    37.55  
Fナンバー      1.85     3.60     5.05  
半画角（度）  37.00    21.63    11.93  
像高           6.82     7.93     7.93  
レンズ全長    63.92    55.64    65.26  
BF             3.31     3.28     3.38  
d 4           24.01     6.93     1.13  
d 5            3.37     1.64    -0.09  
d11            4.81     5.66     7.72  
d13            1.96     2.23     2.75  
d15            0.50     9.93    24.42  
d17            1.46     1.43     1.52  
【００９９】
(数値データ３)
面データ
面番号       r        d      nd         νd       有効径
1*       -54.913    1.20   1.85135    40.1       23.10
2*        14.443    3.69                         20.10
3         30.816    2.18   1.94595    18.0       20.50
4        143.594  (可変)                         20.20
5(絞り)(SP)∞     (可変)                         11.84
6*        11.462    3.36   1.76802    49.2       13.70
7*       -88.480    0.15                         13.20
8         12.207    2.53   1.69680    55.5       11.70
9        828.481    0.50   1.76182    26.5       10.70
10          6.820    3.99                          8.80
11(FP)      ∞     (可変)                          8.63
12       -168.070    1.75   1.49700    81.5       11.40
13        -19.369  (可変)                         11.70
14*        -9.701    0.80   1.58313    59.4       12.10
15*       -17.036  (可変)                         12.80
16*        17.841    2.94   1.85135    40.1       18.40
17         97.666    1.88                         18.10
18          ∞       1.30   1.51633    64.1       25.00
19          ∞       1.00                         25.00
像面        ∞
【０１００】
非球面データ
第1面
K = 0.00000e+000  A 4= 9.61526e-007  A 6=-4.09166e-012  
第2面
K =-1.06639e+000  A 4=-6.08516e-006  A 6= 2.93437e-008  A 8=-2.39351e-010  A10= 8.12038e-013  
第6面
K = 0.00000e+000  A 4=-5.78169e-005  A 6=-2.69085e-007  A 8=-1.11229e-010  A10=-2.76571e-011  
第7面
K = 0.00000e+000  A 4= 3.36984e-005  A 6=-8.21048e-008  
第14面
K = 3.87823e-002  A 4=-1.31977e-004  A 6= 5.47764e-006  A 8= 5.46216e-008  A10=-3.83723e-010  
第15面
K = 0.00000e+000  A 4=-2.44982e-004  A 6= 5.25396e-006  A10=-2.69514e-011  
第16面
K =-8.71887e+000  A 4= 1.32958e-004  A 6=-8.94255e-007  A 8= 4.53876e-009  
【０１０１】
各種データ
ズーム比     4.14 
広角     中間     望遠
焦点距離       9.17    19.99    37.91  
Fナンバー      1.85     3.60     5.05  
半画角（度）  35.92    21.81    11.91  
像高           6.64     8.00     8.00  
レンズ全長    65.73    56.87    65.76  
BF             3.74     3.74     3.74  
d 4           22.66     6.47     1.38  
d 5            6.99     3.34    -0.30  
d11            5.92     7.95    12.95  
d13            2.85     4.40     8.78  
d15            0.50     7.89    16.13  
【０１０２】
(数値データ４)
面データ
面番号       r        d      nd         νd       有効径
1      -7675.307    0.90   1.91082    35.3       24.20
2         15.097    3.50                         20.40
3         60.760    0.80   1.83481    42.7       20.40
4         30.696    0.15                         20.20
5         19.453    2.74   1.95906    17.5       20.70
6         44.755  (可変)                         20.30
7(絞り)(SP)∞       0.00                         11.27
8*        12.489    2.71   1.80139    45.5       11.60
9*       -83.027    0.15                         11.30
10         14.240    2.90   1.88300    40.8       10.50
11(FP)    -17.764    1.00   1.80518    25.4        9.60
12          6.968    3.40                          7.50
13          ∞     (可変)                          6.68
14        -85.034    1.50   2.00100    29.1        8.80
15        -17.350  (可変)                          9.30
16        -12.705    0.60   2.00100    29.1        9.50
17        -42.942  (可変)                         10.20
18         67.476    3.02   1.85135    40.1       17.80
19*       -22.721  (可変)                         17.90
20          ∞       1.30   1.51633    64.1       25.00
21          ∞       1.00                         25.00
像面        ∞
【０１０３】
非球面データ
第8面
K = 0.00000e+000  A 4=-7.45680e-005  A 6=-1.82613e-007  A 8=-7.49358e-009  A10= 6.68458e-011  
第9面
K = 0.00000e+000  A 4= 2.43249e-005  A 6=-9.59048e-008  
第19面
K = 0.00000e+000  A 4= 7.77611e-005  A 6=-2.12404e-007  
【０１０４】
各種データ
ズーム比     4.15 
広角     中間     望遠
焦点距離       9.05    20.01    37.57  
Fナンバー      1.85     3.60     5.05  
半画角（度）  37.00    21.62    11.92  
像高           6.82     7.93     7.93  
レンズ全長    58.11    50.19    57.61  
BF             5.52     5.16     2.85  
d 6           23.83     6.32     0.95  
d13            3.88     3.14     5.34  
d15            1.01     2.02     2.25  
d17            0.50    10.18    22.84  
d19            3.66     3.30     0.99  
【０１０５】
(数値データ５)
面データ
面番号       r        d      nd         νd       有効径
1*       -37.443    1.20   1.85135    40.1       23.50
2*        15.282    4.50                         20.70
3         36.813    2.25   1.94595    18.0       21.50
4        328.035  (可変)                         21.40
5(絞り)(SP)∞      -0.03                         15.76
6*        12.817    3.77   1.76802    49.2       15.30
7*       -88.534    0.15                         14.50
8         11.160    3.08   1.69680    55.5       11.90
9      -1135.069    0.50   1.76182    26.5       10.60
10          6.741  (可変)                          8.70
11(FP)      ∞     (可変)                          8.18
12         82.013    1.76   1.49700    81.5        9.20
13        -17.869  (可変)                          9.50
14*       -11.412    0.50   1.58313    59.4        9.90
15*       -48.050  (可変)                         10.40
16*        24.722    3.25   1.85135    40.1       18.60
17        -52.043  (可変)                         18.50
18          ∞       1.30   1.51633    64.1       25.00
19          ∞       1.00                         25.00
像面        ∞
【０１０６】
非球面データ
第1面
K = 0.00000e+000  A 4= 1.12610e-005  A 6=-1.96439e-008  
第2面
K =-9.75549e-001  A 4=-2.51183e-006  A 6= 5.35504e-008  A 8=-6.39809e-010  A10= 1.36863e-012  
第6面
K = 0.00000e+000  A 4=-3.98391e-005  A 6=-1.69401e-007  A 8=-3.56213e-011  A10=-1.46970e-011  
第7面
K = 0.00000e+000  A 4= 3.01451e-005  A 6=-1.13768e-007  
第14面
K = 8.01624e-002  A 4= 1.85252e-004  A 6= 3.29811e-006  A 8= 2.29790e-008  A10=-2.00465e-009  
第15面
K = 0.00000e+000  A 4= 1.20603e-004  A 6= 2.32032e-006  A10=-1.30344e-009  
第16面
K =-2.05024e+001  A 4= 9.32279e-005  A 6=-6.06840e-007  A 8= 1.53745e-009  
【０１０７】
各種データ
ズーム比     4.12 
広角     中間     望遠
焦点距離       9.17    19.89    37.81  
Fナンバー      1.85     3.60     5.05  
半画角（度）  35.92    21.91    11.95  
像高           6.64     8.00     8.00  
レンズ全長    63.77    56.91    66.08  
BF             3.56     3.78     3.03  
d 4           26.26     8.32     1.04  
d10            3.09     6.81    10.11  
d11            3.66     1.01     1.00  
d13            2.14     3.51     5.81  
d15            4.14    12.56    24.17  
d17            1.71     1.92     1.17  
【０１０８】
(数値データ６)
面データ
面番号       r        d      nd         νd       有効径
1*       -58.719    1.20   1.85135    40.1       23.10
2*        13.260    4.61                         19.90
3         28.519    2.11   1.94595    18.0       20.60
4         92.044  (可変)                         20.40
5(絞り)(SP)∞      -0.07                         13.72
6*        13.551    3.19   1.76802    49.2       13.70
7*       -57.824    0.15                         13.30
8         10.494    4.08   1.53715    74.8       11.60
9        -20.891    0.50   1.69895    30.1       10.00
10          6.832    3.44                          8.10
11(FP)      ∞     (可変)                          7.51
12         92.686    1.85   1.49700    81.5        9.30
13        -16.893  (可変)                          9.60
14*       -10.328    0.80   1.76802    49.2       10.70
15*       -18.888  (可変)                         11.50
16         27.995    2.80   2.00100    29.1       18.90
17       -182.859    1.94                         18.70
18          ∞       1.30   1.51633    64.1       25.00
19          ∞       1.00                         25.00
像面        ∞
【０１０９】
非球面データ
第1面
K = 0.00000e+000  A 4=-6.78233e-006  A 6= 3.57330e-008  
第2面
K =-9.97133e-001  A 4=-2.81724e-006  A 6=-6.93935e-008  A 8= 9.11010e-010  A10=-9.82753e-013  
第6面
K = 0.00000e+000  A 4=-2.55021e-005  A 6=-1.20023e-008  A 8=-1.06231e-009  A10= 7.86838e-012  
第7面
K = 0.00000e+000  A 4= 2.62939e-005  A 6=-3.97370e-008  
第14面
K = 1.07591e+000  A 4= 2.42207e-004  A 6= 3.27767e-006  A 8= 6.10361e-009  A10= 1.31169e-009  
第15面
K = 0.00000e+000  A 4= 5.77459e-005  A 6= 5.84816e-007  
【０１１０】
各種データ
ズーム比     4.13 
広角     中間     望遠
焦点距離       9.17    19.99    37.89  
Fナンバー      1.85     3.60     5.05  
半画角（度）  35.92    21.81    11.92  
像高           6.64     8.00     8.00  
レンズ全長    62.34    55.90    66.20  
BF             3.79     3.79     3.79  
d 4           25.61     8.42     1.16  
d11            4.37     4.23     6.19  
d13            3.41     4.20     5.93  
d15            0.50    10.59    24.48  
【０１１１】
(数値データ７)
面データ
面番号       r        d      nd         vd       有効径
1*       -50.216    1.20   1.85135    40.1       23.40
2*        14.911    4.50                         20.50
3         34.803    2.07   1.94595    18.0       20.90
4        195.977  (可変)                         20.70
5*        11.565    3.17   1.76802    49.2       13.10
6*      -132.558    0.15                         12.60
7         11.315    2.53   1.69680    55.5       11.30
8        188.978    0.50   1.76182    26.5       10.30
9          6.776    4.71                          8.60
10(絞り)(SP)∞     (可変)                          7.48
11         22.547    2.71   1.49700    81.5       11.10
12        -20.057  (可変)                         11.20
13*        -8.395    0.50   1.58313    59.4       11.30
14*       -35.696  (可変)                         12.10
15*        23.358    2.84   1.85135    40.1       18.00
16      -2017.082    0.72                         17.80
17          ∞       1.30   1.51633    64.1       25.00
18          ∞       1.00                         25.00
像面        ∞
【０１１２】
非球面データ
第1面
K = 0.00000e+000  A 4=-4.90149e-007  A 6=-2.99357e-010  
第2面
K =-1.14274e+000  A 4=-8.36101e-006  A 6=-2.10629e-008  A 8=-3.40306e-011  A10= 2.65847e-013  
第5面
K = 0.00000e+000  A 4=-5.29641e-005  A 6=-2.89702e-007  A 8=-2.01804e-010  A10=-2.91798e-011  
第6面
K = 0.00000e+000  A 4= 2.95698e-005  A 6=-1.21998e-007  
第13面
K =-2.23123e-001  A 4= 2.77202e-004  A 6= 1.80718e-006  A 8= 6.91679e-009  A10= 2.78798e-011  
第14面
K = 0.00000e+000  A 4= 7.68777e-005  A 6= 7.63273e-007  A10=-2.74757e-011  
第15面
K =-1.33337e+000  A 4=-1.21602e-006  A 6= 1.19877e-007  A 8= 1.03094e-009  
【０１１３】
各種データ
ズーム比     4.13 
広角     中間     望遠
焦点距離       9.17    19.94    37.84  
Fナンバー      1.85     3.60     5.05  
半画角（度）  35.92    21.86    11.94  
像高           6.64     8.00     8.00  
レンズ全長    61.44    54.06    65.08  
BF             2.57     2.57     2.57  
d 4           25.51     7.75     0.63  
d10            5.13     9.23    18.29  
d12            2.85     2.85     2.85  
d14            0.50     6.77    15.85  
【０１１４】
(数値データ８)
面データ
面番号       r        d      nd         νd       有効径
1*       -82.379    1.20   1.82080    42.7       25.20
2*        14.186    5.07                         21.40
3         26.650    2.00   1.98738    16.4       21.80
4         48.336  (可変)                         21.50
5(絞り)(SP)∞     (可変)                         13.64
6*        12.038    3.84   1.69350    53.2       14.20
7*       -93.912    0.15                         13.60
8         12.196    3.95   1.51823    58.9       12.10
9        -23.461    0.50   1.95375    32.3       10.40
10          9.112    1.97                          9.20
11         17.568    3.00   1.49700    81.5        9.10
12        -24.872  (可変)                          8.70
13         29.119    2.79   1.69895    30.1       12.40
14        -23.233  (可変)                         12.50
15*        -9.225    0.50   1.95150    29.8       11.80
16*       -38.048  (可変)                         12.40
17          ∞       1.30   1.51633    64.1       25.00
18          ∞       1.00                         25.00
像面        ∞   
【０１１５】
非球面データ
第1面
K = 0.00000e+000  A 4=-2.08963e-006  A 6= 1.18951e-008  
第2面
K =-2.56593e+000  A 4= 7.22122e-005  A 6=-2.31473e-007  A 8= 9.92309e-010  A10=-1.47455e-012  
第6面
K = 0.00000e+000  A 4=-1.98156e-005  A 6=-2.86638e-008  A 8= 2.11252e-010  A10= 1.96503e-012  
第7面
K = 0.00000e+000  A 4= 2.75271e-005  A 6= 2.85261e-009  
第15面
K =-1.01357e+000  A 4= 3.56742e-005  A 6= 1.84217e-006  A 8= 5.01350e-009  A10=-9.35330e-011  
第16面
K = 0.00000e+000  A 4=-3.97783e-006  A 6= 1.54987e-006  
【０１１６】
各種データ
ズーム比     4.14 
広角     中間     望遠
焦点距離       9.17    20.00    37.93  
Fナンバー      1.85     3.60     5.05  
半画角（度）  35.91    21.80    11.91  
像高           6.64     8.00     8.00  
レンズ全長    68.58    56.22    62.44  
BF             3.05     7.43    13.82
d 4           29.59     8.89     1.31  
d 5            0.03    -0.24    -0.50  
d12            7.98    11.78    19.54  
d14            2.53     2.96     2.86  
d16            1.20     5.57    11.96  
【０１１７】
【表１】
2017122793.tif 000003
【符号の説明】
【０１１８】
Ｂ１  第１レンズ群    Ｂ２  第２レンズ群    Ｂ３  第３レンズ群
Ｂ４  第４レンズ群    Ｂ５  第５レンズ群
【図１】
2017122793.tif 000004
【図２】
2017122793.tif 000005
【図３】
2017122793.tif 000006
【図４】
2017122793.tif 000007
【図５】
2017122793.tif 000008
【図６】
2017122793.tif 000009
【図７】
2017122793.tif 000010
【図８】
2017122793.tif 000011
【図９】
2017122793.tif 000012
【図１０】
2017122793.tif 000013
【図１１】
2017122793.tif 000014
【図１２】
2017122793.tif 000015
【図１３】
2017122793.tif 000016
【図１４】
2017122793.tif 000017
【図１５】
2017122793.tif 000018
【図１６】
2017122793.tif 000019
【図１７】
2017122793.tif 000020